(57)【要約】  シンプルな構造でシート後方側の乗降スペースを大きく確保可能な車両用シートを提供する。  車両用シートＳは、車体フロア側に固定されたレールブラケット６０と、レールブラケット６０の左右外側面に回動可能に取り付けられた支持ベース５０と、その左右内側面に回動可能に取り付けられた前方支持リンク３０とを備える。支持ベース５０は、その前方部分のベース回動軸部５１を中心として、シートバック２及びシートクッション１を前傾方向に跳ね上げ回転させる。前方支持リンク３０は、ベース回動軸部５１の後方に配置され、シートバック２及びシートクッション１の前傾角度を保持する。
2014125631.tif 000002
【特許請求の範囲】
【請求項１】
シートバック、及び該シートバックに連結されたシートクッションを車体フロアに対して前傾方向に跳ね上げて、乗員が着座するための着座位置から、乗員がシート後方へ乗降するための跳ね上げ位置まで移動可能な車両用シートであって、
前記車体フロア側に取り付けられる取り付け部材と、
該取り付け部材に回動可能に連結され、前記シートバックを支持する支持ベースと、
前記取り付け部材に回動可能に連結され、前記シートクッションを回動可能に支持する支持リンクと、を備え、
前記支持ベースは、
該支持ベース前方部分に設けられ、シート幅方向において前記取り付け部材に軸支されるベース回動軸部を備え、
該ベース回動軸部を中心として前記取り付け部材に対して、前記シートバック及び前記シートクッションを前記跳ね上げ位置まで移動させるように回転可能であって、
前記ベース回動軸部は、前記着座位置及び前記跳ね上げ位置において、前記支持リンクのうち、前記シートクッションに連結された上端部よりも前方に配置されていることを特徴とする車両用シート。
【請求項２】
前記支持リンクは、前方支持リンクであって、
前記シートバックに回動可能に連結され、前記シートクッションを支持する後方支持リンクを備え、
前記前方支持リンクは、前記跳ね上げ位置移動時に、前記後方支持リンクと連動して、前記取り付け部材に連結された下端部を中心として前記取り付け部材に対して、前記シートクッションを前方向に移動させるように回転可能であって、
前記跳ね上げ位置における前記シートクッションと前記シートバックとがなす角度は、前記着座位置における該角度よりも大きいことを特徴とする請求項１に記載の車両用シート。
【請求項３】
前記支持リンクの前記上端部は、シート前後方向において前記シートクッションの略中央に配置されていることを特徴とする請求項１又は２に記載の車両用シート。
【請求項４】
前記ベース回動軸部を中心として前記取り付け部材に対して前記支持ベースを跳ね上げ可能に付勢する付勢部材を備え、
該付勢部材は、前記支持リンクよりも前方に配置されていることを特徴とする請求項１乃至３いずれか記載の車両用シート。
【請求項５】
前記付勢部材は、シート前後方向において前記ベース回動軸部に対向配置されていることを特徴とする請求項４に記載の車両用シート。
【請求項６】
前記支持ベースは、該支持ベース後方部分に設けられ、前記取り付け部材に対して係脱可能に連結されるベース係合部を備え、
前記支持リンクのうち、前記取り付け部材に連結された下端部は、シート前後方向において前記ベース回動軸部と前記ベース係合部との間に配置されていることを特徴とする請求項１乃至５いずれか記載の車両用シート。
【請求項７】
前記支持リンクのうち、前記取り付け部材に連結された下端部は、前記ベース回動軸部と略同一高さに配置されていることを特徴とする請求項１乃至６いずれか記載の車両用シート。
【請求項８】
前記支持リンクのうち、前記取り付け部材に連結された下端部は、前記着座位置において前記ベース係合部と略同一高さに配置されていることを特徴とする請求項１乃至７いずれか記載の車両用シート。
【請求項９】
前記支持リンクは、シート幅方向において前記支持ベースの内側に配置され、
前記ベース回動軸部は、シート幅方向から見て、前記支持リンクのうち、前記取り付け部材に連結された下端部を中心とした前記上端部の回動軌跡上に配置されていることを特徴とする請求項１乃至８いずれか記載の車両用シート。
【請求項１０】
前記車体フロアに固定されるロアレールと、該ロアレールに対して相対移動可能に支持されるアッパレールと、を有するレール装置を備え、
前記取り付け部材は、前記アッパレール上面に取り付けられるレールブラケットであり、
前記レール装置は、前記跳ね上げ位置移動時に前記支持ベースの回動と連動させて、前記ロアレールに対して前記アッパレールを前方向に相対移動させることを特徴とする請求項１乃至９いずれか記載の車両用シート。
【請求項１１】
前記支持ベースに対して前記シートバックを回動可能に連結するリクライニング装置を備え、
前記支持リンクは、前記リクライニング装置によって前記シートバックを前記シートクッション側に折り畳んだ状態で、前記取り付け部材に連結された下端部を中心として前記取り付け部材に対して、前記シートクッションを前記車体フロア側の収納位置に移動させるように回転可能であることを特徴とする請求項１乃至１０いずれか記載の車両用シート。
【発明の詳細な説明】
【技術分野】
【０００１】
本発明は、車両用シートに係り、特に、シートバック及びシートクッションを車体フロアに対して前傾方向に跳ね上げ可能な車両用シートに関する。
【背景技術】
【０００２】
従来、シートバック及びシートクッションを車体フロアに対して前傾方向に跳ね上げ、シート前方側にスライド移動させて、シート後方側に乗降スペースを形成する車両用シートは既に知られており、その中には、上記の跳ね上げ機構に加えて、シートバックをシートクッション側に折り畳んだ状態で、シートクッションを車体フロア側に収納可能な車両用シートが存在する（例えば、特許文献１参照）。【０００３】
特許文献１に記載の車両用シートは、車体フロアにレール装置に相当する下部構造物が固定されており、この下部構造物には、第１の４節リンク機構を介して中央構造物が回動可能に連結されている。この中央構造物はシートを支持するものであり、中央構造物には、第２の４節リンク機構を介してシートバック及びシートクッションがそれぞれ回動可能に連結されている。
この車両用シートでは、第１の４節リンク機構によってシートバック及びシートクッションを車体フロアに対して前傾方向に跳ね上げ回転し、所定の前傾角度で保持可能な構成となっている。また、第２の４節リンク機構によって、シートバックをシートクッション側に折り畳んだ状態でシートクッションを車体フロア側に収納可能な構成となっている。
【先行技術文献】
【特許文献】
【０００４】
【特許文献１】特許第４８２５２１９号公報
【発明の概要】
【発明が解決しようとする課題】
【０００５】
しかし、特許文献１のような車両用シートでは、乗員が着座可能な着座位置から、シートバック及びシートクッションを前傾方向に跳ね上げて、乗員がシート後方へ乗降可能な跳ね上げ位置に移動でき、また、シートバック及びシートクッションを収納可能な収納位置に移動できる構成となっているものの、複雑なリンク構造を必要としていた。
そのため、シンプルな構造で着座位置から跳ね上げ位置又は収納位置に切り替え可能な車両用シートが望まれていた。
また、シートを前傾方向に跳ね上げてシート後方側に乗降スペースを形成する車両用シートでは、車両前後方向の乗降スペースを大きく確保できることが重要である。特許文献１のような車両用シートでは、シートを跳ね上げ、さらに跳ね上げたシートをシート前方側にスライド移動させて乗降スペースを確保しているものの、乗降スペースを一層大きく確保可能な車両用シートが望まれていた。【０００６】
本発明は、上記の課題に鑑みてなされたものであり、本発明の目的は、シンプルな構造でシート着座位置からシート跳ね上げ位置又はシート収納位置に切り替え可能な車両用シートを提供することにある。
また、本発明の他の目的は、シート着座位置からシート跳ね上げ位置に切り替えたときにシート後方側の乗降スペースを大きく確保可能な車両用シートを提供することにある。
【課題を解決するための手段】
【０００７】
前記課題は、本発明の車両用シートによれば、シートバック、及び該シートバックに連結されたシートクッションを車体フロアに対して前傾方向に跳ね上げて、乗員が着座するための着座位置から、乗員がシート後方へ乗降するための跳ね上げ位置まで移動可能な車両用シートであって、前記車体フロア側に取り付けられる取り付け部材と、該取り付け部材に回動可能に連結され、前記シートバックを支持する支持ベースと、前記取り付け部材に回動可能に連結され、前記シートクッションを回動可能に支持する支持リンクと、を備え、前記支持ベースは、該支持ベース前方部分に設けられ、シート幅方向において前記取り付け部材に軸支されるベース回動軸部を備え、該ベース回動軸部を中心として前記取り付け部材に対して、前記シートバック及び前記シートクッションを前記跳ね上げ位置まで移動させるように回転可能であって、前記ベース回動軸部は、前記着座位置及び前記跳ね上げ位置において、前記支持リンクのうち、前記シートクッションに連結された上端部よりも前方に配置されていること、により解決される。【０００８】
このように、支持ベースが、ベース回動軸を中心としてシートバック及びシートクッションを着座位置と跳ね上げ位置の間で移動させるように回動し、ベース回動軸が支持リンク上端部よりも前方に配置されるため、支持リンクが、着座位置においてはシートクッションを下方から支持し、跳ね上げ位置においてはシートクッション及びシートバックを所定の前傾角度で保持する構造配置になる。
従って、車体フロア側に取り付けられた取り付け部材に、シートバックを支持する支持ベースと、シートクッションを支持する支持リンクとをそれぞれ回動可能に連結したシンプルな構造で、着座位置から跳ね上げ位置に切り替え可能な車両用シートを提供することができる。【０００９】
このとき、前記支持リンクは、前方支持リンクであって、前記シートバックに回動可能に連結され、前記シートクッションを支持する後方支持リンクを備え、前記前方支持リンクは、前記跳ね上げ位置移動時に、前記後方支持リンクと連動して、前記取り付け部材に連結された下端部を中心として前記取り付け部材に対して、前記シートクッションを前方向に移動させるように回転可能であって、前記跳ね上げ位置における前記シートクッションと前記シートバックとがなす角度は、前記着座位置における該角度よりも大きいと良い。
このように、跳ね上げ位置におけるシートクッションとシートバックとがなす角度は、着座位置における角度よりも大きくなるため、シートを前傾方向に跳ね上げた跳ね上げ位置においてシート前後方向の長さを小さくすることができ、結果としてシート後方側の乗降スペースを大きく確保することができる。
また、跳ね上げ位置のシートクッションとシートバックとがなす角度が、着座位置の角度よりも大きく保持されるため、シート着座面側にチャイルドシート、特にＩＳＯＦＩＸ規格に基づくチャイルドシートを装着することができる。【００１０】
このとき、前記支持リンクの前記上端部は、シート前後方向において前記シートクッションの略中央に配置されていると良い。
このように構成されるため、支持リンクが、着座位置においてシートクッションに加わる下方荷重をシートクッションの重心に近い位置で受けることができ、支持剛性が高まる。【００１１】
このとき、前記ベース回動軸部を中心として前記取り付け部材に対して前記支持ベースを跳ね上げ可能に付勢する付勢部材を備え、該付勢部材は、前記支持リンクよりも前方に配置されていると良い。
このように構成されているため、支持リンク前方のスペースに付勢部材を配置することでシートのコンパクト化を図ることができ、シートの前後方向の長さを小さくできる。【００１２】
このとき、前記付勢部材は、シート前後方向において前記ベース回動軸部に対向配置されていると良い。
このように構成されているため、ベース回動軸部に対向する位置となるスペースに付勢部材を配置することでシートのコンパクト化を図ることができ、シートの前後方向の長さを小さくできる。【００１３】
このとき、前記支持ベースは、該支持ベース後方部分に設けられ、前記取り付け部材に対して係脱可能に連結されるベース係合部を備え、前記支持リンクのうち、前記取り付け部材に連結された下端部は、シート前後方向において前記ベース回動軸部と前記ベース係合部との間に配置されていると良い。
このように構成されているため、支持ベースは、ベース係合部の係合を解除した状態で、ベース回動軸部を中心としてシートクッション及びシートバックを跳ね上げ位置まで移動させるように回転し、支持リンクは、跳ね上げ位置においてシートクッションを所定の前傾角度で保持することができる。従って、支持ベースと支持リンクのシンプルな構造で所定の前傾角度で跳ね上げ位置を設定でき、シート前後方向の長さを調整できる。【００１４】
このとき、前記支持リンクのうち、前記取り付け部材に連結された下端部は、前記ベース回動軸部と略同一高さに配置されていると良い。
このように、取り付け部材に連結される支持リンク下端部と、支持ベースのベース回動軸部との高さ位置が略同一となるため、支持リンク及び支持ベースの構成配置がコンパクトになる。【００１５】
このとき、前記支持リンクのうち、前記取り付け部材に連結された下端部は、前記着座位置において前記ベース係合部と略同一高さに配置されていると良い。
このように、取り付け部材に連結される支持リンク下端部と、支持ベースのベース係合部との高さ位置が略同一となるため、シート着座時に加わる荷重を均等に分散させて受けることができる。【００１６】
このとき、前記支持リンクは、シート幅方向において前記支持ベースの内側に配置され、前記ベース回動軸部は、シート幅方向から見て、前記支持リンクのうち、前記取り付け部材に連結された下端部を中心とした前記上端部の回動軌跡上に配置されていると良い。
このように構成されているため、支持ベースと支持リンクの配置がコンパクトになる。【００１７】
このとき、前記車体フロアに固定されるロアレールと、該ロアレールに対して相対移動可能に支持されるアッパレールと、を有するレール装置を備え、前記取り付け部材は、前記アッパレール上面に取り付けられるレールブラケットであり、前記レール装置は、前記跳ね上げ位置移動時に前記支持ベースの回動と連動させて、前記ロアレールに対して前記アッパレールを前方向に相対移動させると良い。
このように、レール装置は、跳ね上げ位置移動時に、ロアレールに対してアッパレールを前方向に相対移動させるため、シート跳ね上げ位置においてシート後方側の乗降スペースを大きく確保できる。【００１８】
このとき、前記支持ベースに対して前記シートバックを回動可能に連結するリクライニング装置を備え、前記支持リンクは、前記リクライニング装置によって前記シートバックを前記シートクッション側に折り畳んだ状態で、前記取り付け部材に連結された下端部を中心として前記取り付け部材に対して、前記シートクッションを前記車体フロア側の収納位置に移動させるように回転可能であると良い。
このように構成されるため、シートバックを支持する支持ベースと、シートクッションを支持する支持リンクとのシンプルな構造で、着座位置から収納位置に切り替え可能な車両用シートを提供できる。
【発明の効果】
【００１９】
請求項１の発明によれば、支持ベースが、ベース回動軸を中心としてシートバック及びシートクッションを着座位置と跳ね上げ位置の間で移動させるように回動し、ベース回動軸が支持リンク上端部よりも前方に配置されるため、支持リンクが、着座位置においてはシートクッションを下方から支持し、跳ね上げ位置においてはシートクッション及びシートバックを所定の前傾角度で保持する構造配置になる。
従って、車体フロア側に取り付けられた取り付け部材に、シートバックを支持する支持ベースと、シートクッションを支持する支持リンクとをそれぞれ回動可能に連結したシンプルな構造で、着座位置から跳ね上げ位置に切り替え可能な車両用シートを提供することができる。【００２０】
請求項２の発明によれば、跳ね上げ位置におけるシートクッションとシートバックとがなす角度は、着座位置における角度よりも大きくなるため、シートを前傾方向に跳ね上げた跳ね上げ位置においてシート前後方向の長さを小さくすることができ、結果としてシート後方側の乗降スペースを大きく確保することができる。
また、跳ね上げ位置のシートクッションとシートバックとがなす角度が着座位置の角度よりも大きく保持されるため、シート着座面側にチャイルドシート、特にＩＳＯＦＩＸ規格に基づくチャイルドシートを装着することができる。
請求項３の発明によれば、支持リンクが、着座位置においてシートクッションに加わる下方荷重をシートクッションの重心に近い位置で受けることができ、支持剛性が高まる。【００２１】
請求項４の発明によれば、支持リンク前方のスペースに付勢部材を配置することでシートのコンパクト化を図ることができ、シートの前後方向の長さを小さくできる。
請求項５の発明によれば、ベース回動軸部に対向する位置のスペースに付勢部材を配置することでシートのコンパクト化を図ることができ、シートの前後長さを小さくできる。
請求項６の発明によれば、支持ベースは、ベース係合部の係合を解除した状態で、ベース回動軸部を中心としてシートクッション及びシートバックを跳ね上げ位置まで移動させるように回転し、支持リンクは、跳ね上げ位置においてシートクッションを所定の前傾角度で保持することができる。従って、支持ベースと支持リンクのシンプルな構造で所定の前傾角度で跳ね上げ位置を設定でき、シート前後方向の長さを調整できる。【００２２】
請求項７の発明によれば、取り付け部材に連結される支持リンク下端部と、支持ベースのベース回動軸部との高さ位置が略同一となるため、支持リンク及び支持ベースの構成配置がコンパクトになる。
請求項８の発明によれば、取り付け部材に連結される支持リンク下端部と、支持ベースのベース係合部との高さ位置が略同一となるため、シート着座時に加わる荷重を均等に分散させて受けることができる。
請求項９の発明によれば、支持ベースと支持リンクの配置がコンパクトになる。【００２３】
請求項１０の発明によれば、レール装置は、跳ね上げ位置移動時に、ロアレールに対してアッパレールを前方向に相対移動させるため、シート跳ね上げ位置においてシート後方側の乗降スペースを大きく確保できる。
請求項１１の発明によれば、シートバックを支持する支持ベースと、シートクッションを支持する支持リンクとのシンプルな構造で、着座位置から収納位置に切り替え可能な車両用シートを提供できる。
【図面の簡単な説明】
【００２４】
【図１】本発明に係る車両用シートの概略斜視図であり、一部が骨格となるクッションフレーム、前方支持リンク、後方支持リンク、及び支持ベースを示す図である。
【図２】図１の車両用シートの部分拡大図である。
【図３】図１の車両用シートを別の角度から見た部分拡大図である。
【図４】図１の車両用シートを示す概略側面図であり、（ａ）は、着座位置の状態を示す図であり、（ｂ）は、跳ね上げ位置の状態を示す図である。
【図５】図１の車両用シートを示す概略側面図であり、（ａ）は、着座位置の状態を示す図であり、（ｂ）は、収納位置の状態を示す図である。
【発明を実施するための形態】
【００２５】
本実施形態は、着座位置から、跳ね上げ位置又は収納位置に切り替え可能な車両用シートであって、車体フロア側に固定されたレールブラケットの左右外側面に支持ベースが取り付けられ、また左右内側面に前方支持リンクが取り付けられ、支持ベースが、その前方部分のベース回動軸部を中心としてシート本体を前傾方向に跳ね上げ回転させると共に、ベース回動軸部の後方に配置された前方支持リンクが、シート本体の前傾角度を保持する構成からなることを特徴とする車両用シートの発明に関するものである。
なお、車両用シートのシートバックに対して乗員が着座する側がシート前方側となる。
【００２６】
本実施形態の車両用シートＳは、例えば車両前後方向に三列のシートを備える車両において二列目のシートとして配置されるものである。
車両用シートＳは、図１に示すように、シートクッション１と、シートバック２と、ヘッドレスト３とを備えるシート本体と、シート本体を前後方向に移動可能な状態で車体フロアに取り付けるための左右のレール装置４と、シート本体とレール装置４の間にそれぞれ取り付けられ、シートクッション１を連結支持する左右の前方支持リンク３０と、シートバック２を連結支持する左右の支持ベース５０と、シートクッション１とシートバック２の間に取り付けられる左右の後方支持リンク４０と、から主に構成されている。
【００２７】
シートクッション１は、乗員を下方から支持する着座部であって、骨格となるクッションフレーム１０に、不図示のクッションパッドを載置して、クッションパッドの上から不図示の表皮によって被覆されて構成されている。
シートバック２は、乗員の背中を後方から支持する背もたれ部であって、骨格となるバックフレーム２０に、クッションパッド２ａを載置して、表皮２ｂで被覆されて構成されている。
ヘッドレスト３は、乗員の頭を後方から支持する頭部であって、芯材となる不図示のピラーにクッションパッド３ａを載置して、表皮３ｂで被覆されて構成されている。
【００２８】
レール装置４は、上下方向においてシート本体側と車体フロアとの間に配設されており、図１に示すように、車体フロアに固定される左右のロアレール４ａと、ロアレール４ａに対して相対移動可能に支持される左右のアッパレール４ｂと、ロアレール４ａ及びアッパレール４ｂの後方部分に固定された左右のストライカ４ｃと、アッパレール４ｂ上面の前方部分に固定された左右のレールブラケット６０と、から主に構成されている。
レールブラケット６０は、特許請求の範囲の取り付け部材に相当する。
なお、レール装置４には、アッパレール４ｂを移動不能にロックする不図示のロック部材と、ロック部材のロック状態を解除する不図示の操作レバーが取り付けられている。
【００２９】
クッションフレーム１０は、シートクッション１の骨格となる略矩形状の枠体からなり、図１に示すように、左右側方に配設されたクッションサイドフレーム１１と、各クッションサイドフレーム１１の上面に架設された板状フレームとしてのパンフレーム１２と、を主に備えている。
なお、各クッションサイドフレーム１１の後方側の左右内側面を連結する不図示の弾性部材や、不図示のフレーム連結パイプを別途備えていても良い。
クッションサイドフレーム１１は、前後方向に延出する板金部材からなり、各クッションサイドフレーム１１は、左右方向に離間している。
パンフレーム１２は、乗員の腿を支持する金属製フレームからなり、上面が略平坦な略矩形状に形成されている。パンフレーム１２は、前端部及び左右両端部に折れ曲がり部１２ａを有しており、折れ曲がり部１２ａが各クッションサイドフレーム１１上面に掛け止めされている。
【００３０】
クッションサイドフレーム１１の左右外側面には、その中央部分において前方支持リンク３０上端部が回動可能に連結されており、その後方部分において後方支持リンク４０前端部が連結されて構成されている。
クッションフレーム１０を骨格とするシートクッション１は、前方支持リンク３０及び後方支持リンク４０の回動によって、乗員が着座する着座位置と、シート本体を収納する収納位置との間で移動することができる。詳しく言うと、シートクッション１は、前方支持リンク３０下端部を中心として移動可能であって、収納位置に移動するときには車体フロア側に対して前方斜め下方向に移動する。
【００３１】
バックフレーム２０は、シートバック２の骨格となる略矩形状の枠体からなり、図１に示すように、左右側方に配設された左右のバックサイドフレーム２１と、バックサイドフレーム２１の左右外側面であって下方部分に取り付けられた取り付けブラケット２２と、を構成品として備えている。
なお、各バックサイドフレーム２１の内側面には下部フレーム２３が架設されている。
バックサイドフレーム２１の左右外側面の下方部分には、後方支持リンク４０後端部が回動可能に連結され、後方支持リンク４０は、左右方向においてバックサイドフレーム２１と取り付けブラケット２２の間に挟まれて配置されている。
【００３２】
取り付けブラケット２２は、略Ｌ字形状からなり、左右方向においてバックサイドフレーム２１と所定の間隔をおいて離間配置されており、取り付けブラケット２２の左右外側面には、支持ベース５０に対してバックフレーム２０を回動可能に連結するリクライニング装置２４が取り付けられている。
【００３３】
リクライニング装置２４は、公知の装置からなり、図２に示すように、リクライニング装置２４の回動軸２５と、バックフレーム２０を起立状態に付勢する渦巻きバネ２６と、バックサイドフレーム２１側に取り付けられ、渦巻きバネ２６の一端部を係止するバネ係止ブラケット２７と、支持ベース５０側に設けられ、渦巻きバネ２６の他端部を係止するバネ係止部２８と、から主に構成されている。
リクライニング装置２４は、シートバック２を起立状態にロックし、不図示の操作レバーを操作することでロック解除され、支持ベース５０に対してシートバック２を前方側に回転させてシートクッション１側に折り畳むことができる。
【００３４】
前方支持リンク３０は、図２又は図３に示すように、上下方向に延出する板金部材からなり、シートクッション１を下方から回動可能に支持する部材である。
前方支持リンク３０は、シート側面側から見て略弓形状に形成され、前後方向においてクッションフレーム１０の略中央部分に連結された上端部３１と、レールブラケット６０の略後方部分に連結された下端部３２と、上端部３１及び下端部３２よりも前方側に張り出したリンク本体部３３と、から構成されている。
また、前方支持リンク３０は、図３に示すように、シート正面側から見て略クランク形状に形成され、左右方向において上端部３１からリンク本体部３３にかけて左右外側に折り曲げられ、リンク本体部３３から下端部３２にかけて左右内側に折り曲げられている。そのため、前方支持リンク３０は、後述するバネ部材５５との干渉を避けてコンパクトに配置され、かつ、前方支持リンク３０の剛性を向上させている。
【００３５】
上端部３１は、図２に示すように、シート左右方向に貫通する不図示の貫通穴を備え、クッションフレーム１０の左右外側面にこの貫通穴を介して不図示の回動ボルトを締結することで、シートクッション１が上端部３１に対して回動可能に連結される。
下端部３２は、同様に不図示の貫通穴を備え、レールブラケットの左右内側面にこの貫通穴を介して不図示の回動ボルトを締結することで、前方支持リンク３０がレールブラケット６０に対して回動可能に連結される。
リンク本体部３３は、図３に示すように、左右外側に下方傾斜した形状からなり、左右のリンク本体部３３は、シート正面側から見て略ハの字形状となっている。
【００３６】
前方支持リンク３０には、図２に示すように、その外縁全体にわたって左右外側に折り曲げられたフランジ部３４と、下端部３２からリンク本体部３３にわたって左右外側面から内側に窪ませたビード部３５とが形成されている。
ビード部３５は、下端部３２に形成された不図示の貫通穴の周縁部から連続してリンク本体部３３の前後方向の中央部分を延びるように形成されている。
そのため、乗員の着座時にシートクッション１に加わる荷重に対して前方支持リンク３０の支持剛性が向上する。
【００３７】
前方支持リンク３０の左右内側には、左右の前方支持リンク３０同士を連結するリンク連結部材３６が設けられている。
リンク連結部材３６は、縦断面略コ字形状からなり、左右方向に長尺な板金部材である。
リンク連結部材３６の左右両端部は、図３に示すように、左右外側に下方傾斜した形状からなり、シート正面側から見て略台形形状となっている。
リンク連結部材３６の左右外側面に相当する傾斜部分が、前方支持リンク３０のうち、リンク本体部３３の左右内側面に相当する傾斜部分と当接して接合される。
また、リンク連結部材３６の縦断面形状は、着座位置において上下方向に長尺な形状として形成されている。
【００３８】
リンク連結部材３６には、その外縁全体にわたって後方側に折り曲げられたフランジ部３７と、正面側から後方側に略Ｈ字形状に窪ませたビード部３８と、その左右両端部に対して中央部分を正面側から後方側に凹ませたフランジ段差部３９と、が形成されている。
ビード部３８は、左右方向に長尺なビード形状からなり、ビード部３８の左右延出端部は、リンク連結部材３６の左右両端部の形状に沿わせて左右外側に下方傾斜している。
そのため、乗員の着座時にシートクッション１に加わる荷重に対して前方支持リンク３０の支持剛性が向上する。
【００３９】
さらに詳しく言うと、リンク連結部材３６の外側面が、前方支持リンク３０のうち、リンク本体部３３の内側面であって、かつ、フランジ部３４とビード部３５の間に挟まれた部分と当接して接合されている。
従って、シートクッション１に加わる荷重に対して前方支持リンク３０の支持剛性が一層向上する。
【００４０】
後方支持リンク４０は、図１又は図２に示すように、前後方向に延出する略Ｌ字形状の板金部材からなり、シートクッション１を後方から支持する部材である。
後方支持リンク４０は、クッションフレーム１０の左右外側面であって後方部分に接合された前端部４１と、バックサイドフレーム２１の左右外側面であって下方部分に連結された後端部４２と、を備えている。
後端部４２は、シート左右方向に貫通する不図示の貫通穴を備え、バックサイドフレーム２１の左右外側面にこの貫通穴を介して不図示の回動ボルトを締結することで、後方支持リンク４０がシートバック２に対して回動可能に連結される。
詳しく言うと、後方支持リンク４０は、バックサイドフレーム２１と取り付けブラケット２２の間に挟まれており、取り付けブラケット２２の左右外側面から回動ボルトを締結する構成となっている。そのため、後方支持リンク４０の組み付け性が向上する。
【００４１】
支持ベース５０は、図２に示すように、前後方向に延出する板金部材からなり、シートバック２を下方から支持する部材である。
支持ベース５０は、略クランク形状に形成され、左右方向においてその後方部分から前方部分にかけて左右外側に折り曲げられており、前方支持リンク３０との干渉を避けてコンパクトに配置されている。
なお、支持ベース５０の上端部及び下端部には、左右外側に屈曲された不図示のフランジ部が形成されており、支持ベース５０の支持剛性を高めている。
【００４２】
支持ベース５０は、その前方部分に配置されたベース回動軸部５１と、ベース回動軸部５１の後方側に配置されたベース係合部５２と、を備えている。
支持ベース５０の後方部分であって上端部には、リクライニング装置２４が配置され、バックサイドフレーム２１下端部と連結されている。
支持ベース５０の左右内側には、左右の支持ベース５０同士を連結する中央ベース連結部材５３と、後方ベース連結部材５４とが設けられている。
【００４３】
ベース回動軸部５１は、左右方向において不図示の回動ボルトによってレールブラケット６０の前方部分に軸支された部分であり、支持ベース５０は、ベース回動軸部５１を中心としてレールブラケット６０に対して回動可能に連結される。
ベース係合部５２は、レール装置４のストライカ４ｃに対して係脱可能に連結される部分であり、着座位置及び収納位置においてはベース係合部５２とストライカ４ｃが係合している。
ベース回動軸部５１の左右内側面側には、図２又は図３に示すように、付勢部材としてのバネ部材５５が配置されている。バネ部材５５は、公知な渦巻きバネからなり、ベース回動軸部５１を中心としてレールブラケット６０に対して支持ベース５０を上方に跳ね上げ可能に付勢する。
【００４４】
ベース回動軸部５１は、図２に示すように、前方支持リンク３０の下端部３２よりも前方側に配置され、また、着座位置及び収納位置において、ベース回動軸部５１とベース係合部５２の前後方向の略中央部分に下端部３２が配置されている。
ベース回動軸部５１は、前方支持リンク３０の下端部３２と略同一高さに配置され、また、着座位置及び収納位置において、ベース回動軸部５１、ベース係合部５２、及び下端部３２が略同一高さに配置されている。
【００４５】
支持ベース５０は、ベース係合部５２とストライカ４ｃの係合が解除された後、バネ部材５５に付勢されて、ベース回動軸部５１を中心としてシートバック２及びシートクッション１を前傾方向に跳ね上げるように回転する。
支持ベース５０が、シートバック２及びシートクッション１を所定の前傾角度に設定した跳ね上げ位置まで跳ね上げるように回転したとき、前方支持リンク３０が、シートクッション１及びシートバック２をこの跳ね上げ位置で保持することができる。
【００４６】
レールブラケット６０は、図３に示すように、前後方向に延出する略Ｌ字形状の板金部材からなり、前方支持リンク３０及び支持ベース５０を支持する部材である。
レールブラケット６０は、アッパレール４ｂ上面に固定された底壁部６１と、底壁部６１の左右外側端部から上方へ屈曲された外側壁部６２と、外側壁部６２の前後両端部から左右内側へ屈曲された前方壁部６３、後方壁部６４とを備えている。
底壁部６１の上面には、左右のレールブラケット６０同士を連結するレール連結部材６５が固定されている。
【００４７】
外側壁部６２は、その前方部分の外側面において支持ベース５０の図２に示すベース回動軸部５１と回動可能に連結されており、その中央部分の内側面において前方支持リンク３０の下端部３２と回動可能に連結されている。
また、外側壁部６２の前方部分の内側には、バネ部材５５が取り付けられており、バネ部材５５は、左右方向においてベース回動軸部５１と対向配置されている。
前方壁部６３の前面には取り付けブラケット６６が固定されており、レールブラケット６０のうち、外側壁部６２と取り付けブラケット６６が、左右方向において支持ベース５０を挟み込むように配置されている。
レール連結部材６５には、左右方向に長尺なビードが形成されており、レールブラケット６０の支持剛性を向上させている。
【００４８】
次に、図４（ａ）、（ｂ）に基づいて車両用シートＳを着座位置から跳ね上げ位置まで移動させる動作を説明する。
車両用シートＳが、図４（ａ）に示す着座位置にあるとき、ベース係合部５２とストライカ４ｃが係合状態にあり、かつ、ロアレール４ａに対してアッパレール４ｂが移動不能なロック状態にある。着座位置において、シートクッション１は前方支持リンク３０に支持され、シートバック２は支持ベース５０に支持されて構成される。
【００４９】
車両用シートＳを着座位置から跳ね上げ位置に移動させるときには、例えばシートバック２上面に設けられた不図示の操作レバーを操作する。
乗員が操作レバーを操作することによって、ベース係合部５２とストライカ４ｃの係合状態が解除され、さらにアッパレール４ｂが移動可能なロック解除状態に切り替わる。
なお、操作レバーと、ベース係合部５２及びレール装置４との間には、それぞれ不図示の公知なケーブルが連結されており、操作レバーの操作によってケーブルが引っ張られ、それぞれロック状態を解除する構成となっている。
【００５０】
ベース係合部５２とストライカ４ｃの係合が解除された後、支持ベース５０は、バネ部材５５に付勢されて、ベース回動軸部５１を中心としてシートバック２及びシートクッション１を前傾方向に跳ね上げるように回転する。
このとき、前方支持リンク３０が、図４（ｂ）に示すように、シートクッション１及びシートバック２の跳ね上がりを規制するため、跳ね上がったシートクッション１及びシートバック２が、所定の前傾角度において保持される。
なお、所定の前傾角度は、例えばバネ部材５５の付勢力によって調整可能である。
【００５１】
また、前方支持リンク３０は、バネ部材５５の付勢力によって、後方支持リンク４０と連動して、下端部３２を中心としてレールブラケット６０に対してシートクッション１を前方向に移動させるように回転する。
そのため、図４（ｂ）に示すように、シートクッション１とシートバック２とがなす角度αは、着座位置における角度αよりも大きくなるように構成されている。
なお、角度αの大きさは、例えばバネ部材５５の付勢力によって調整可能である。
【００５２】
一方、アッパレール４ｂが移動可能なロック解除状態に切り替わった後、アッパレール４ｂは、不図示のバネ部材に付勢されて、ロアレール４ａに対して前方側に相対移動する。なお、アッパレール４ｂの移動距離は適宜調整可能である。
上記一連の動作によって、車両用シートＳが図４（ｂ）に示す跳ね上げ位置に移動する。
【００５３】
次に、図５（ａ）、（ｂ）に基づいて車両用シートＳを着座位置から収納位置まで移動させる動作を説明する。
車両用シートＳを図５（ａ）に示す着座位置から収納位置に移動させるときには、例えばシートクッション１の左外側面に設けられた不図示の操作レバーを操作する。
乗員が操作レバーを操作することで、シートバック２を起立状態に保持するリクライニング装置２４のロックが解除され、さらにアッパレール４ｂが移動可能なロック解除状態に切り替わる。
なお、操作レバーと、リクライニング装置２４及びレール装置４との間には、それぞれ不図示の公知なケーブルが連結されており、操作レバーの操作によってケーブルが引っ張られ、それぞれロック状態を解除する構成となっている。
【００５４】
リクライニング装置２４のロックが解除された後、シートバック２が、リクライニング装置２４の回動軸２５を中心としてシートクッション１側に折り畳まれる。
このとき、前方支持リンク３０及び後方支持リンク４０は、シートバック２の折り畳み動作と連動して、車体フロアに対してシートクッション１を前方斜め下方向に移動させるように回転する。言い換えると、前方支持リンク３０は、後方支持リンク４０と共に、下端部３２を中心としてレールブラケット６０に対して前方向に回転する。
【００５５】
一方、アッパレール４ｂが移動可能なロック解除状態に切り替わった後、アッパレール４ｂは、不図示のバネ部材に付勢されて、ロアレール４ａに対して後方側に相対移動する。なお、アッパレール４ｂの相対移動距離は適宜調整可能である。
上記一連の動作によって、車両用シートＳが図５（ｂ）に示す収納位置に移動する。
【００５６】
上記の収納動作において、前方支持リンク３０が、下端部３２を中心としてレールブラケット６０に対して回動するとき、図５（ａ）、（ｂ）に示すように、上端部３１の回動軌跡上に、支持ベース５０のベース回動軸部５１が位置する構成となっている。つまり、車両用シートＳが収納位置にあるとき、前方支持リンク３０の上端部３１と、ベース回動軸部５１とが、シート側面側から見て重なる位置に配置されることになる。
【００５７】
また、上記の収納動作において、前方支持リンク３０が、下端部３２を中心としてレールブラケット６０に対して前方向に回転するとき、図２に示すリンク連結部材３６は、図２に示すレール連結部材６５との干渉を避けるように回転する。その後、収納位置において、リンク連結部材３６は、レール連結部材６５の前方側に配置されることになる。
【００５８】
上記実施形態のほか、車両用シートＳが跳ね上げ位置にあるとき、ベース回動軸部５１がシート本体の重心位置に対して前方に配置され、前方支持リンク３０がシート本体の重心位置に対して後方に配置されていると良い。
このように配置されることで、前方支持リンク３０がベース回動軸部５１を中心として前傾方向に跳ね上がったシート本体を支持する際に、前方支持リンク３０の支持剛性を高めることができる。
【００５９】
上記実施形態のほか、車両用シートＳが跳ね上げ位置にあるとき、ベース回動軸部５１が、シート本体の重心位置に相当するヘッドレスト３前端部に対して前方に配置され、前方支持リンク３０の上端部３１又は下端部３２がヘッドレスト３前端部に対して後方に配置されていると良い。
このように配置されることで、前方支持リンク３０のシート本体に対する支持剛性が高まるため、ベース回動軸部５１を中心として前傾方向に跳ね上がったシート本体を着座位置に戻す作業性が向上する。
【００６０】
上記実施形態のほか、車両用シートＳが着座位置から跳ね上げ位置に移動するとき、前方支持リンク３０の上端部３１及び下端部３２のうち、少なくとも一方が、シート側面側から見て外部に露出していると良い。
このように配置されることで、前方支持リンク３０の組み付け性が向上する。
【００６１】
上記実施形態のほか、車両用シートＳが跳ね上げ位置から着座位置に移動する途中で、シートバック２が車体フロアに対して鉛直方向に起立状態となったときに、前方支持リンク３０がシート本体の重心位置に対して前方に配置されていると良い。
このように配置されることで、前方支持リンク３０のシート本体に対する支持剛性が高まるため、シート本体を着座位置に戻す作業性が向上する。
【００６２】
上記実施形態では、具体例として自動車に用いられる車両用シートについて説明したが、これに限定されることなく、電車、バス等の車両用シートのほか、飛行機、船等の乗物用シートとしても利用することができる。
【００６３】
本実施形態では、主として本発明に係る車両用シートに関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
特に、前方支持リンク３０、後方支持リンク４０、支持ベース５０、及びレールブラケット６０の配置や構成について、上記の実施形態にて説明したものは、あくまで一例に過ぎず、本発明を限定するものではない。
【符号の説明】
【００６４】
Ｓ  車両用シート
１  シートクッション
２  シートバック
２ａ、３ａ  クッションパッド
２ｂ、３ｂ  表皮
３  ヘッドレスト
４  レール装置
４ａ  ロアレール
４ｂ  アッパレール
４ｃ  ストライカ
１０  クッションフレーム
１１  クッションサイドフレーム
１２  パンフレーム
１２ａ  折れ曲り部
２０  バックフレーム
２１  バックサイドフレーム
２２  取り付けブラケット
２３  下部フレーム
２４  リクライニング装置
２５  回動軸
２６  渦巻きバネ
２７  バネ係止ブラケット
２８  バネ係止部
３０  前方支持リンク
３１  上端部
３２  下端部
３３  リンク本体部
３４  フランジ部
３５、３８  ビード部
３６  リンク連結部材
３７  フランジ部
３９  フランジ段差部
４０  後方支持リンク
４１  前端部
４２  後端部
５０  支持ベース
５１  ベース回動軸部
５２  ベース係合部
５３  中央ベース連結部材
５４  後方ベース連結部材
５５  バネ部材
６０  レールブラケット
６１  底壁部
６２  外側壁部
６３  前方壁部
６４  後方壁部
６５  レール連結部材
６６  取り付けブラケット
【図１】
2014125631.tif 000003
【図２】
2014125631.tif 000004
【図３】
2014125631.tif 000005
【図４】
2014125631.tif 000006
【図５】
2014125631.tif 000007
【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
シートバック、及び該シートバックに連結されたシートクッションを車体フロアに対して前傾方向に跳ね上げて、乗員が着座するための着座位置から、乗員がシート後方へ乗降するための跳ね上げ位置まで移動可能な車両用シートであって、
前記車体フロア側に取り付けられる取り付け部材と、
該取り付け部材に回動可能に連結され、前記シートバックを支持する支持ベースと、
前記取り付け部材に回動可能に連結され、前記シートクッションを回動可能に支持する支持リンクと、を備え、
前記支持ベースは、
該支持ベース前方部分に設けられ、シート幅方向において前記取り付け部材に軸支されるベース回動軸部を備え、
該ベース回動軸部を中心として前記取り付け部材に対して、前記シートバック及び前記シートクッションを前記跳ね上げ位置まで移動させるように回転可能であって、
前記ベース回動軸部は、前記着座位置及び前記跳ね上げ位置において、前記支持リンクのうち、前記シートクッションに連結された上端部よりも前方に配置されていることを特徴とする車両用シート。
【請求項２】
前記支持リンクは、前方支持リンクであって、
前記シートバックに回動可能に連結され、前記シートクッションを支持する後方支持リンクを備え、
前記前方支持リンクは、前記跳ね上げ位置移動時に、前記後方支持リンクと連動して、前記取り付け部材に連結された下端部を中心として前記取り付け部材に対して、前記シートクッションを前方向に移動させるように回転可能であって、
前記跳ね上げ位置における前記シートクッションと前記シートバックとがなす角度は、前記着座位置における該角度よりも大きいことを特徴とする請求項１に記載の車両用シート。
【請求項３】
前記支持リンクの前記上端部は、シート前後方向において前記シートクッションの略中央に配置されていることを特徴とする請求項１又は２に記載の車両用シート。
【請求項４】
前記ベース回動軸部を中心として前記取り付け部材に対して前記支持ベースを跳ね上げ可能に付勢する付勢部材を備え、
該付勢部材は、前記支持リンクよりも前方に配置されていることを特徴とする請求項１乃至３いずれか記載の車両用シート。
【請求項５】
前記付勢部材は、シート前後方向において前記ベース回動軸部に対向配置されていることを特徴とする請求項４に記載の車両用シート。
【請求項６】
前記支持ベースは、該支持ベース後方部分に設けられ、前記取り付け部材に対して係脱可能に連結されるベース係合部を備え、
前記支持リンクのうち、前記取り付け部材に連結された下端部は、シート前後方向において前記ベース回動軸部と前記ベース係合部との間に配置されていることを特徴とする請求項１乃至５いずれか記載の車両用シート。
【請求項７】
前記支持リンクのうち、前記取り付け部材に連結された下端部は、前記ベース回動軸部と略同一高さに配置されていることを特徴とする請求項６に記載の車両用シート。
【請求項８】
前記支持リンクのうち、前記取り付け部材に連結された下端部は、前記着座位置において前記ベース係合部と略同一高さに配置されていることを特徴とする請求項６又は７に記載の車両用シート。
【請求項９】
前記支持リンクは、シート幅方向において前記支持ベースの内側に配置され、
前記ベース回動軸部は、シート幅方向から見て、前記支持リンクのうち、前記取り付け部材に連結された下端部を中心とした前記上端部の回動軌跡上に配置されていることを特徴とする請求項１乃至８いずれか記載の車両用シート。
【請求項１０】
前記車体フロアに固定されるロアレールと、該ロアレールに対して相対移動可能に支持されるアッパレールと、を有するレール装置を備え、
前記取り付け部材は、前記アッパレール上面に取り付けられるレールブラケットであり、
前記レール装置は、前記跳ね上げ位置移動時に前記支持ベースの回動と連動させて、前記ロアレールに対して前記アッパレールを前方向に相対移動させることを特徴とする請求項１乃至９いずれか記載の車両用シート。
【請求項１１】
前記支持ベースに対して前記シートバックを回動可能に連結するリクライニング装置を備え、
前記支持リンクは、前記リクライニング装置によって前記シートバックを前記シートクッション側に折り畳んだ状態で、前記取り付け部材に連結された下端部を中心として前記取り付け部材に対して、前記シートクッションを前記車体フロア側の収納位置に移動させるように回転可能であることを特徴とする請求項１乃至１０いずれか記載の車両用シート。
【国際調査報告】
2014125631.tif 000008
2014125631.tif 000009
2014125631.tif 000010
2014125631.tif 000011